(57)【要約】  無線装置において送信バーストのシーケンスを送信する方法及び装置である。本方法は、送信バーストのシーケンスを送信スケジュールに従って送信するステップ（４３０）を含む。本方法は、無線周波数集積回路で、上記シーケンスの少なくとも１つの送信バーストの送信の前に、当該少なくとも１つの送信バーストの送信のタイミングを表す情報を受信するステップ（４２０）と、無線周波数集積回路により、送信スケジュールを実行するタイミング信号を発生するステップ（４４０）とを備えることを特徴とする。無線装置（１００）は、送信バーストのシーケンスの送信スケジュールを決定するよう適合されたベースバンド集積回路（１１０）を含む。無線装置（１００）は、タイミング・スケジュールを表す情報を受信し、且つ送信バーストのシーケンスの送信を自律的に制御するよう適合されている無線周波数集積回路（２００，３００）を含むことを特徴とする。
2008535334.tif 000002
【特許請求の範囲】
【請求項１】
無線装置において送信バーストのシーケンスを送信する方法（４００）であって、送信バーストのシーケンスを送信スケジュールに従って送信するステップ（４３０）を備える方法（４００）において、
無線周波数集積回路で、前記シーケンスの少なくとも１つの送信バーストの送信の前に、前記少なくとも１つの送信バーストの送信のタイミングを表す情報を受信するステップ（４２０）と、
前記無線周波数集積回路により、前記送信スケジュールを実行するタイミング信号を発生するステップ（４４０）と
を備えることを特徴とする方法（４００）。
【請求項２】
連続した送信バーストと関連したタイミング制約に応答して、前記送信スケジュールを決定するステップ（４１０）が、前記受信するステップ（４２０）より前に起こる請求項１記載の方法（４００）。
【請求項３】
送信バーストと関連したタイミング制約が、前記送信バーストの長さ、及びタイミング前進値に応答する請求項２記載の方法（４００）。
【請求項４】
前記送信するステップ（４３０）が、ガード期間にラインアップ待ち時間を加えた期間が前の送信バーストの送信の終わりから経過するまで送信イネーブル信号を遅延させるステップを備える請求項１から３のいずれか一項に記載の方法（４００）。
【請求項５】
前記決定するステップ（４１０）が、電力ランプ・ダウン期間を決定するステップを備える請求項２記載の方法（４００）。
【請求項６】
前記送信バーストが、異なる長さのバーストを備える請求項１から５のいずれか一項に記載の方法（４００）。
【請求項７】
無線装置において送信バーストのシーケンスを送信する方法（５００）であって、送信バーストのシーケンスを送信スケジュールに従って送信するステップ（５３０）を備える方法（４００）において、
無線周波数集積回路で、タイミング・スケジュールを表す情報を受信するステップ（５２０）を備え、
前記送信するステップ（５３０）が、前記無線周波数集積回路により自律的に制御される
ことを特徴とする方法（５００）。
【請求項８】
連続した送信バーストと関連したタイミング制約に応答して、前記送信スケジュールを決定するステップ（５１０）が、前記受信するステップ（５２０）より前に起こる請求項７記載の方法（５００）。
【請求項９】
送信バーストと関連したタイミング制約が、前記送信バーストの長さ、及びタイミング前進値に応答する請求項８記載の方法（５００）。
【請求項１０】
前記送信するステップ（５３０）が、ガード期間が前の送信バーストの送信の終わりから経過するまで送信イネーブル信号を遅延させるステップを備える請求項７から９のいずれか一項に記載の方法（５００）。
【請求項１１】
前記決定するステップ（５１０）が、電力ランプ・ダウン期間を決定するステップを備える請求項８記載の方法（５００）。
【請求項１２】
前記送信バーストが、異なる長さのバーストを備える請求項７から１１のいずれか一項に記載の方法（５００）。
【請求項１３】
送信バーストのシーケンスの送信スケジュールを決定するよう適合されたベースバンド集積回路（１１０）を備える無線装置（１００）であって、
前記シーケンスのうちの少なくとも１つの送信バーストの送信の前に、前記少なくとも１つの送信バーストの送信のタイミングを表す情報を受信し、且つ前記送信スケジュールを実行するタイミング信号を発生するよう適合されている無線周波数集積回路（２００，３００）を備えることを特徴とする無線装置（１００）。
【請求項１４】
前記無線装置が更に、連続した送信バーストと関連したタイミング制約に応答して、前記送信スケジュールを決定するよう適合されている請求項１３記載の無線装置（１００）。
【請求項１５】
送信バーストと関連したタイミング制約が、前記送信バーストの長さ、及びタイミング前進値に応答する請求項１４記載の無線装置（１００）。
【請求項１６】
前記無線周波数集積回路が、ガード期間にラインアップ待ち時間を加えた期間が前の送信バーストの送信の終わりから経過するまで送信イネーブル信号を遅延させるよう適合されている請求項１３から１５のいずれか一項に記載の無線装置（１００）。
【請求項１７】
電力ランプ・ダウン期間を決定するよう適合されている請求項１４記載の無線装置（１００）。
【請求項１８】
前記送信バーストが、異なる長さのバーストを備える請求項１３から１７のいずれか一項に記載の無線装置（１００）。
【請求項１９】
送信バーストのシーケンスの送信スケジュールを決定するよう適合されたベースバンド集積回路（１１０）を備える無線装置（１００）であって、
タイミング・スケジュールを表す情報を受信し、且つ前記送信バーストのシーケンスの送信を自律的に制御するよう適合されている無線周波数集積回路（２００，３００）を備えることを特徴とする無線装置（１００）。
【請求項２０】
前記無線装置が更に、連続した送信バーストと関連したタイミング制約に応答して、前記送信スケジュールを決定するよう適合されている請求項１９記載の無線装置（１００）。
【請求項２１】
送信バーストと関連したタイミング制約が、前記送信バーストの長さ、及びタイミング前進値に応答する請求項２０記載の無線装置（１００）。
【請求項２２】
前記無線周波数集積回路が、ガード期間が前の送信バーストの送信の終わりから経過するまで送信イネーブル信号を遅延させるよう適合されている請求項１９から２１のいずれか一項に記載の無線装置（１００）。
【請求項２３】
電力ランプ・ダウン期間を決定するよう適合されている請求項１４記載の無線装置（１００）。
【請求項２４】
前記送信バーストが、異なる長さのバーストを備える請求項１９から２６のいずれか一項に記載の無線装置（１００）。
【請求項２５】
前記送信バーストのシーケンスが、第１の変調スキームに従って変調された情報の第１の送信バーストと、第２の変調スキームに従って変調された情報の第２の送信バーストとを備え、
前記第２の変調スキームが、前記第１の変調スキームとは異なる
請求項１から６のいずれか一項に記載の方法（４００）。
【請求項２６】
前記送信バーストのシーケンスが、第１の変調スキームに従って変調された情報の第１の送信バーストと、第２の変調スキームに従って変調された情報の第２の送信バーストとを備え、
前記第２の変調スキームが、前記第１の変調スキームとは異なる
請求項７から１２のいずれか一項に記載の方法（５００）。
【請求項２７】
前記送信バーストのシーケンスが、第１の変調スキームに従って変調された情報の第１の送信バーストと、第２の変調スキームに従って変調された情報の第２の送信バーストとを備え、
前記第２の変調スキームが、前記第１の変調スキームとは異なる
請求項１３から２３のいずれか一項に記載の無線装置（１００）。
【発明の詳細な説明】
【技術分野】
【０００１】
本発明は、エアー・インターフェースを介して送信バーストのシーケンスを送信する方法及び装置に関する。
【背景技術】
【０００２】
最近の無線ネットワークは、情報及び音声信号を基地局と複数の移動電話器（これはまた「移動局」と呼ばれる。）との間で搬送するための様々な技術を利用する。これらの技術は、時分割多元接続（ＴＤＭＡ）、周波数分割多元接続（ＦＤＭＡ）、及び符号分割多元接続（ＣＤＭＡ）を含む。ＧＳＭネットワークのような一部の無線ネットワークは、単一の技術より複数の技術を利用する。
【０００３】
単一の基地局は、信号を複数の移動電話器と交換することができる。これらの移動電話器は、基地局から異なった距離に位置することができる。従って、異なる移動電話器は、異なる信号伝搬期間と関連付けられることができる。異なる伝搬期間から結果として生じるタイミング差を補償するため、基地局は、各移動電話器について、タイミング前進値（ｔｉｍｉｎｇ  ａｄｖａｎｃｅ  ｖａｌｕｅ）を決定する。タイミング前進値は、比較的ゆっくりと変わり、特に、隣接送信バースト間での小さいタイミング差に関連して変わる。
【０００４】
以下の米国特許及び特許出願は、全て本明細書に援用されているが、これらは、従来技術のタイミング前進方法及びシステムの簡単な概観を提供する。これらの米国特許及び特許出願は、Ｌｕｄｅｒｓの米国特許Ｎｏ．６２１０８１９、Ｖａｌｌｓｔｒｏｍ他の米国特許Ｎｏ．６８０４２１２、Ｓｐｅａｒ他の米国特許出願Ｎｏ．２００５／００５３０９９、Ａｂｄｅｓｓｅｌｅｍ他の米国特許出願Ｎｏ．２００４／０１５１１４３、Ｏｅｓｔｒｅｉｃｈの米国特許出願Ｎｏ．２００４／０１２８０９５、Ｋｏｅｈｎ他の米国特許出願Ｎｏ．２００３／０１１７９９５、Ｃａｒｌｓｓｏｎの米国特許出願Ｎｏ．２００３／０１１９５２４、Ｂｒｏｍｈｅａｄ他の米国特許出願Ｎｏ．２００４／０２０３９２１、Ａｃｈａｒｄの米国特許出願Ｎｏ．２００４／０２４６９２３、及びＫｉｍの米国特許出願Ｎｏ．２００５／００２５０９５である。
【０００５】
最近の移動電話器は、複数の集積回路（これはまたＩＣ又はチップと呼ばれる。）を含む。典型的なＧＳＭ送受信器は、ベースバンド集積回路（ＢＢＩＣ）及び無線周波数集積回路（ＲＦＩＣ）を含む。ＢＢＩＣ及びＲＦＩＣは、制御信号及びデータ信号をデジタル・インターフェースを介して交換する。Ａｇｅｒｅ  Ｓｙｓｔｅｍ、Ｐｈｉｌｉｐｓ（フィリップス）、Ｓｉｌｉｃｏｎ  Ｌａｂｏａｔｏｒｉｅｓ、Ｓｏｎｙ（ソニー）、Ｒｅｎｅｓａｓ、Ｍｏｔｏｒｏｌａ（モトローラ）、ＲＦ  Ｍｉｃｒｏ  Ｄｅｖｉｃｅｓ、Ｉｎｆｉｎｅｏｎ及びＴＴＰｃｏｍを含む様々な会社が、ＤｉｇＲＦとして知られている標準化されたインターフェースを規定した。ＤｉｇＲＦは、受信及び送信データ・ライン、様々な制御ライン、及び基準クロック・ラインを含む。
【０００６】
ＲＦＩＣは、受信経路及び送信経路を含む。送信経路は、フラクショナルＮシンセサイザ、同調可能な増幅器、様々なフィルタ、及び振幅変調及び／又は位相変調を実行することができる変調器を含む。最近のセルラ・フォーンは、ＧＭＳＫ及び８ＰＳＫ変調を実行することができる場合がある。ＧＭＳＫは、位相変調のみを含むが、一方８ＰＳＫ変調は、位相及び振幅変調を含む。ＧＭＳＫ変調においては、各シンボルは、１ビットと等価であるが、一方８ＰＳＫ変調においては、各シンボルは、３ビットと等価である。
【０００７】
ＲＦＩＣは、送信バーストを、事前定義された電力Ｖ時間マスク（ｐｏｗｅｒ  Ｖ  ｔｉｍｅ  ｍａｓｋｓ）に従って整形（ｓｈａｐｅ）する。整形は、セルラ・フォーンのフロント・エンドに配置されている可変利得電力増幅器の利得を制御することにより実行される。典型的な電力マスクは、次の技術仕様：題名が「デジタル・セルラ通信システム（フェーズ２＋）；無線送信及び受信」であるＥＳＴＩ  ＴＳ  １４５  ００５  Ｖ．５．９．０（４ＧＰＰ  ＴＳ  ４５．００５、バージョン５．９．０、リリース５）に規定されている。なお、上記の技術仕様は、本明細書に援用されている。
【０００８】
３ＧＰＰは、５つのタイプの送信バースト、即ち、正常バースト、周波数訂正バースト、同期化バースト、ダミー・バースト及びアクセス・バーストをＥＧＰＲＳ及びＧＳＭ標準の一部として定義する。各バーストは、その全体長、そのアクティブ長、及びその有効長により特徴付けられる。アクティブ長及び有効長は、全体長より短い。
【０００９】
正常バースト、周波数訂正バースト、同期化バースト及びダミー・バーストのアクティブ長は、１４８シンボルである。これらのシンボルには、８と１／４のガード期間シンボルが続く。アクセス・バーストは、非常に短い。そのアクティブ長は、８８シンボルである。これらのシンボルには、最大６８と１／４のガード期間シンボルが続く。第１の送信バーストと別の送信バーストとの間のガード期間中に、移動電話器は、電力ランプ・ダウン（ｐｏｗｅｒ  ｒａｍｐ  ｄｏｗｎ）及び電力ランプ・アップ（ｐｏｗｅｒ  ｒａｍｐ  ｕｐ）を実行することができる。
【００１０】
（Ｅ）ＧＰＲＳ対応セルラ・フォーンは、送信バーストのシーケンスを送信することができる。セルラ・フォーンは、送信バーストがオーバラップなしで且つセルラ・フォーンに対して割り当てられた時間スロット内で送信されることを保証しなければならない。この目標は、複雑で資源を消費する送信制御スキームを実行するＢＢＩＣにより達成される。ＢＢＩＣは、プロセッサと、或る一定の送信に関連したイベントがトリガされねばならないときプロセッサへの割り込みを発生する追加の回路とを有する。このスキームは、ＢＢＩＣが多くのタスクを処理しなければならないので実効的でなく、そして頻繁な割り込みは、その性能を低減する。
【発明の開示】
【発明が解決しようとする課題】
【００１１】
ベースバンドの介入なしで送信バーストのシーケンスを送信する効率的な方法及び装置を提供する必要性がある。
【課題を解決するための手段】
【００１２】
添付の特許請求の範囲に記載されるような、ガード期間特性を決定する方法及び装置が提供される。
【００１３】
本発明は、添付図面と関係した以下の詳細な説明からより完全に理解され認められるであろう。
【発明を実施するための最良の形態】
【００１４】
本発明の一実施形態に従って、送信バースト・シーケンスの送信の制御スキームは、ベースバンド集積回路が複数の送信バーストのシーケンスの送信のタイミング・スケジュールを決定することを可能にすることにより単純化される。ベースバンド集積回路は、タイミング・スケジュールを表す送信情報を無線周波数集積回路へ送る。無線周波数集積回路は、送信スケジュールを実行するためタイミング信号を発生することができる。
【００１５】
送信情報を受信した後に、無線周波数集積回路は、実質的にベースバンド集積回路からの支援なしで、送信バーストのシーケンスの送信を自律的に制御することが都合良い。
【００１６】
或る一定の送信バーストの送信と関連した送信情報が、送信バーストの送信の前に送られることが都合良い。
【００１７】
従って、ベースバンド集積回路は、送信イベントのタイミングをモニタリングする資源を消費するプロセスを実行することを要求されない。多くの場合、これは、ベースバンド集積回路のタイミングに関連した割り込み及び必要とされるソフトウエア例外ルーチンの量を著しく低減する。
【００１８】
本発明の様々な実施形態に従って、送信バーストのシーケンスは、第１の変調スキームに従って変調された情報の第１の送信バーストと、第２の変調スキームに従って変調された情報の第２の送信バーストとを含み、そして第２の変調スキームが、第１の変調スキームと異なる。第１の変調スキームが８ＰＳＫであり、第２の変調スキームがＧＭＳＭであることが都合良い。
【００１９】
以下の詳細な説明は、様々な状況における送信バースト間の電力ランプ・ダウン期間の調整を記述する。本発明は、様々なタイミング制約に応じて、電力ランプ・ダウン期間を、更には電力ランプ・アップ期間と電力ランプ・ダウン期間の両方さえも調整することができることに注目されたい。更に、説明された方法及びシステムがランプとは異なる電力変化パターンを発生するため適用されることができることに注目されたい。
【００２０】
更に、図１から図４は尺度どおりでなく、そしてこれらの図面に示された制御信号以外の他の制御信号、並びに他の論理値（例えば、高信号の代わりに低信号、バイナリ信号値以外の信号値）が送信シーケンスを制御するため用いられることができることに注目されたい。
【００２１】
図１は、本発明の一実施形態に従った移動電話器１００を示す。移動電話器１００は、ベースバンド集積回路（ＢＢＩＣ）１１０、マイクロフォン１１６、スピーカ１１４、ディスプレイ１１２、電力管理モジュール１１８、バッテリ１２０、基準水晶１２２、アンテナ１４０、フロント・エンド・モジュール１３０、及び無線周波数集積回路（ＲＦＩＣ）２００を含む。
【００２２】
ＢＢＩＣ１１０は、送信バーストのシーケンスの送信スケジュールを決定する。送信スケジュールは、変調期間、送信期間、ガード期間、電力ランプ・アップ期間、電力ランプ・ダウン期間、及び類似のものを含むことができる。
【００２３】
ＢＢＩＣ１１０は、異なるバースト・タイプと関連したタイミング前進（ｔｉｍｉｎｇ  ａｄｖａｎｃｅ）のような様々なパラメータに応答して、タイミング・スケジュールを決定する。例えば、正常バーストは、最大６３個のシンボルのタイミング前進値と関連付けられることができ、そしてアクセス・バーストは、ゼロのタイミング前進値と関連付けられる。
【００２４】
例えば、アクセス・バーストに、６１個のシンボルと６３個のシンボルとの間のタイミング前進値を有する正常バーストが続く場合、アクセス・バーストの電力ランプ・ダウン期間が、低減される筈である。そのような場合、ＢＢＩＣ１１０は、低減した電力ランプ・ダウン期間を表すタイミング情報を発生し、そしてＲＦＩＣ２００は、低減したランプ・ダウン期間を有するアクセス・バーストを発生するであろう。
【００２５】
ＢＢＩＣ１１０は、マイクロフォン１１６、ディスプレイ１１２、スピーカ１１４及び電力管理モジュール１１８に接続される。電力管理モジュール１１８はまた、バッテリ１２０、ＲＦＩＣ２００及びフロント・エンド・モジュール１３０に接続される。電力管理モジュール１１８は、様々な電力低減技術を利用することができる。
【００２６】
フロント・エンド・モジュール１３０は、電力増幅器（ＰＡ）１３２、アンテナ・スイッチ１３６、及びロー・パス・フィルタ（ＬＰＦ）１３４を含む。ＬＰＦ１３４は、ＰＡ１３２とアンテナ１４０との間に接続される。アンテナ・スイッチ１３６は、アンテナ１４０を移動電話器１００の送信経路又は受信経路のいずれかに選択的に接続する。受信経路は、説明を簡単にするためこれ以上詳細には説明しない。
【００２７】
ＢＢＩＣ１１０は、ＤｉｇＲＦインターフェース１６０のようなインターフェースを介してＲＦＩＣ２００に接続される。このインターフェースは、ＢＢＩＣ１１０によるタイミング信号をＲＦＩＣ２００に与えるため用いられるストローブ・ピンを含む。ＲＦＩＣ２００は、通常の電力ランプ及び速い電力ランプを与えるように制御信号をＰＡ１３２に送る。これらの電力ランプは、時間マスクに対する事前定義された電力に対応する。
【００２８】
図２は、本発明の一実施形態に従ったＲＦＩＣ２００を示す。ＲＦＩＣ２００は、入力インターフェース・モジュール２１０、記憶ユニット２２０、制御器２３０、及び変調ユニット２４０を含む。
【００２９】
入力インターフェース・モジュール２１０は、ＤｉｇＲＦインターフェース１６０を介してＢＢＩＣ１１０に接続される。変更されたＤｉｇＲＦインターフェース１６０は、双方向ＲｘＴｘＤａｔａ（ＲＸＴＸデータ）ライン２０２、双方向ＲｘＴｘＥｎ（ＲＸ ＴＸイネーブル）ライン２０４、双方向ＣｎｔｒｌＤａｔａ（制御データ）ライン２０６、ＣｎｔｒＥｎ（制御イネーブル）ライン２０７、ＣｔｒｌＣｌｋ（制御クロック）ライン２０８、ＳｙｓＣｌｋ（システム・クロック）ライン２０９、及びＳｙｓＣｌｋＥｎ（システム・クロック・イネーブル）ライン２１１を含む。データ・シンボルは、ＲｘＴｘＤａｔａライン２０２を介して送られる。双方向ＲｘＴｘＥｎライン２０４は、有効なデータがＲｘＴｘＤａｔａライン２０２を介して与えられていることを指示するため用いられる。双方向ＣｎｔｒｌＤａｔａライン２０６は、制御信号を送るため用いられる。ＣｔｒｌＣｌｋライン２０８は、クロック信号を送り、そしてＳｙｓＣｌｋライン２０９は、ＳｙｓＣｌｋＥｎがアサートされている間にマスタ・クロック信号を送る。
【００３０】
入力インターフェース・モジュール２１０は、内部メモリ・モジュールを含み、そしてＲＦＩＣ２００の他の構成要素に後で与えられる情報及び制御信号を格納することができる。
【００３１】
記憶ユニット２２０は、様々な送信パラメータを格納することができる複数のレジスタ又はメモリ構成要素（ＲＡＭ，ＲＯＭ）を含む。例えば、それは、通常の電力ランプ、又は速い電力ランプ、及び類似のものを表すデータを格納することができる。
【００３２】
電力ランプは、様々な要領で表されることができる。例えば、電力ランプは、電力増幅器へ順次に送られるとき電力ランプを発生することができる一連の値により表されることができる。なお、別の例では、電力ランプは、その持続時間、及び最大電力値と最小電力値の差により表されることができる。
【００３３】
記憶ユニット２２０が、通常の電力ランプ、及び短い電力ランプを表す情報を格納することが都合良いが、しかしこれは、必ずしもそうである必要はなく、それは、３以上の異なる電力ランプ、及びこれらのランプとは異なる電力パターンを表す情報を格納することができる。
【００３４】
制御器２３０は、様々な送信経路及び受信経路イベントのタイミングを決定する制御信号を発生することが可能であるハードウエア構成要素を含むことが都合良い。例えば、制御器２３０は、有効な被送信データの変調を開始する時、変調されたデータの送信を開始する時、当該送信を終了する時、電力ランプを発生する時、及びどの電力ランプを発生すべきかを決定することができる。
【００３５】
本発明の一実施形態に従って、制御器２３０は、ガード期間が前の送信バーストの送信の終わりから経過するまで、送信イネーブル信号をアサートすることを遅延させることができる。
【００３６】
本発明の別の実施形態に従って、制御器２３０は、変調ユニット２４０へ、ガード期間を表す情報を送り、そしてそれに応答して、変調ユニット２４０は、変調器アクティブ信号をアサートし、そしてこの信号を、変調期間及び追加のガード期間が満了した後でのみネゲートする。変調器アクティブ信号を遅くネゲートすることは、変調ユニット２４０がガード期間が経過する前に別のバーストを変調することを開始することを要求されないことを保証する。これは、エアー・インターフェースについて正確なタイムスロット境界を維持するのを助ける。
【００３７】
変調ユニット２４０は、少なくとも１つの変調スキームを実行することができる。本発明者は、ＧＭＳＫ及び８ＰＳＫ変調を実行する変調ユニット２４０を用いたが、しかし他の変調スキームが、変調ユニット２４０によりサポートされることができる。様々な変調を実行する方法は、当該技術で知られており、追加の説明は必要でない。
【００３８】
変調ユニット２４０は、シンボルをＢＢＩＣ１１０から受け取り、そして送信されるＲＦシンボルの位相及び／又は振幅を制御することができることが都合良い。典型的には、そのような変調ユニットは、ＧＭＳＫ変調器、８ＰＳＫ変調器、マルチプレクサ、位相変調器（フラクショナルＮＰＬＬを含む）、及び座標回転型デジタル・コンピュータ（Ｃｏｏｒｄｉｎａｔｅ  Ｒｏｔａｔｉｏｎａｌ  Ｄｉｇｉｔａｌ  Ｃｏｍｐｕｔｅｒ）（ＣＯＲＤＩＣ）ユニットを含む。
【００３９】
送信されるシンボルの電力は、電力増幅器１３２の利得を変えることにより制御されることができるが、しかしまた、その電力増幅器の前に配置されている別の増幅器の利得を調整することにより制御されることができることに注目されたい。
【００４０】
変調器ユニットの非制限的例は、Ｍａｔｓｕｉ他の米国特許出願Ｎｏ．２００４／０２２９５９２、Ｈｅｒｚｂｅｒｇ他の米国特許出願Ｎｏ．２００４／０１８０６３９、Ｓｉｍｏｎ他の米国特許Ｎｏ．６３６９６６６、及びＰｉｉｒａｉｎｅｎ他のＰＣＴ出願公開Ｎｏ．ＷＯ００／０３５２３に与えられており、これらの出願等は、本明細書に援用される。Ｍａｔｓｕｉ他の米国特許出願Ｎｏ．２００４／０２２９５９２は、ＧＭＳＫ変調及び８−ＰＳＫ変調のような様々な変調を実行することが可能である通信集積回路を記載する。Ｈｅｒｚｂｅｒｇ他の米国特許出願Ｎｏ．２００４／０１８０６３９は、２つの変調モード間の移動無線を切り替えるための回路構成を記載する。
【００４１】
制御器２３０は、電力増幅器１３２を制御することができ、そしてその電力増幅器１３２に、事前定義された電力マスクに従って電力ランプ・ダウン（又は電力ランプ・アップ）を強制的に行わせる。速い電力ランプを発生するため、制御器２３０は、ゼロをデジタル／アナログ変換器（図示せず）に強制的に入れ、当該デジタル／アナログ変換器は、それを電力増幅器１３２に供給する。これは、電力増幅器１３２に、迅速に電力ランプ・ダウンすることを強制的に行わせる。一部のアナログ・フィルタリングに起因して、急峻なランプ・ダウンを低減することができるが、しかし電力増幅器は、相変わらず急速に電力ランプ・ダウンする。電力ランプ・ダウンは、非常に速くすることができ、そしてフロント・エンド・モジュールの帯域幅に依存する。
【００４２】
図３は、本発明の一実施形態に従ったＲＦＩＣ３００をより詳細に示す。
【００４３】
ＲＦＩＣ３００は、入力インターフェース・モジュール２１０、記憶ユニット２２０、状態マシン制御器３３０、電力増幅器制御ユニット３６０、送信デジタル変調器（ＴＸＭ）３４０、位相変調器３５０、及び可変利得増幅器３７０を含む。
【００４４】
入力インターフェース・モジュール２１０は、変調されるべきデータ・シンボル（「ＴＸ ＤＡＴＡ」３４１と記す。）を与えるため、ＴＸＭ３４０に接続される。入力インターフェース・モジュール２１０は、状態マシン制御器３３０に接続され、そしてそれに、有効なＴＸデータ（ＴＸＤＡＴＡ）３４１がＴＸＭ３４０に与えられるときハイ（高）である有効データ（ＶＡＬＩＤ＿ＤＡＴＡ）信号３４２を送る。記憶ユニット２２０は、状態マシン制御器３３０へ、ガード期間を定義するシャットダウン遅延（ＳｈｕｔｄｏｗｎＤｅｌａｙ）値３４３を送る。
【００４５】
状態マシン制御器３３０は、変調器イネーブル（ｍｏｄｕｌａｔｏｒ＿ｅｎａｂｌｅ）信号３４４をＴＸＭ３４０に送る。変調器イネーブル信号３４４は、ＴＸＭ３４０に、変調シーケンスを開始するべき時、及び変調シーケンスを終了するべき時を知らせる。
【００４６】
ＴＸＭ３４０は、変調器アクティブ（ｍｏｄｕｌａｔｏｒ＿ａｃｔｉｖｅ）信号３４６を状態マシン制御器３３０に送る。この信号は、状態マシン制御器３３０、又はＲＦＩＣ２００のいずれの他の構成要素が新しい変調セッションを開始することを防止する。変調器アクティブ信号３４６は、変調器イネーブル信号３４４がネゲートされた後で、ＳｈｕｔｄｏｗｎＤｅｌａｙにより定義されたガード期間にわたりハイ（高）のままである。
【００４７】
状態マシン制御器３３０は、電力増幅器制御ユニット３６０に、２つの信号、即ち、短／通常電力ランプ信号３４８及び送信イネーブル（ＴＲＡＮＳＭＩＴ＿ＥＮＡＢＬＥ）信号３３８を送る。短／通常電力ランプ信号３４８は、通常電力ランプ又は短電力ランプのいずれかを実行するかどうかを指示する。送信イネーブル信号３３８は、電力増幅器の活動を開始する。送信イネーブル信号がアサートされた後で直ちに、電力増幅器制御ユニット３６０は、電力ランプ・アップを制御する。ひとたび送信イネーブル信号３３８がネゲートされると、電力増幅器制御ユニット３６０は、短／通常電力ランプ信号３４８に応答して、電力ランプ・ダウンを制御する。送信イネーブル信号３３８がネゲートされたとき、送信経路待ち期間後に、有効データ信号３４２が、ネゲートされる。
【００４８】
ＴＸＭ３４０は、ベースバンド・シンボルを受信するＧＭＳＫ変調器及び８ＰＳＫ変調器を含むことが都合良い。両方の変調器の出力は、マルチプレクサ及び制御ユニットに接続される。この制御ユニットは、上記の出力シンボルをフェーザ・ローテータ・ブロック（ｐｈａｓｏｒ  ｒｏｔａｔｏｒ  ｂｌｏｃｋ）（ＣＯＲＤＩＣ）へ選択的に与える。
【００４９】
ＣＯＲＤＩＣは、直交／極変換（ｒｅｃｔａｎｇｕｌａｒ  ｔｏ  ｐｏｌａｒ  ｃｏｎｖｅｒｓｉｏｎ）を実行する。ＣＯＲＤＩＣは、振幅データを電力増幅器制御ユニット３６０に出力し、そしてまた位相データを位相微分ブロックに出力する。位相微分ブロックは、周波数データを位相変調器３５０へ送る。振幅データを８ＰＳＫ変調で用いて、可変利得増幅器３７０の利得を制御する。
【００５０】
図４は、本発明の一実施形態に従った様々な信号のタイミング図である。
【００５１】
タイミング図は、単一の送信バーストの送信中に発生される様々な信号を示す。その上、説明を簡単にするため、様々な信号の処理遅延又は伝搬遅延を省略した。例えば、有効データ（ＶＡＬＩＤ＿ＤＡＴＡ）信号３４２、変調器イネーブル（ｍｏｄｕｌａｔｏｒ＿ｅｎａｂｌｅ）信号３４４及び変調器アクティブ（ｍｏｄｕｌａｔｏｒ＿ａｃｔｉｖｅ）信号３４６のアサーション間の小さい遅延は、省略された。当業者は、これらの信号は、状態マシン制御器３３０及びＴＸＭ３４０が或る一定の信号を受信し、その信号に応答し、次いで別の信号を出力するので同時にアサートされないことを認めるであろう。
【００５２】
バーストの送信中に発生される電力マスクは、電力マスク（ＰＯＷＥＲ＿ＭＡＳＫ）信号３４９により表される。
【００５３】
Ｔ１で、有効データ信号３４２は、変調すべき有効なデータが存在することを指示するためアサートされる。Ｔ１で、又はＴ１の前に、シャットダウン遅延（ＳｈｕｔｄｏｗｎＤｅｌａｙ）値３４３（図示せず）は、状態マシン制御器３３０に送られる。
【００５４】
Ｔ１で、又はＴ１後の近いうちに、変調器イネーブル信号３４４は、ＴＸＭ３４０に変調を開始することを要求するため、状態マシン制御器３３０によりアサートされる。変調器イネーブル信号３４４のアサート後の近いうちに、ＴＸＭ３４０は、変調シーケンスを開始し、従って変調器アクティブ信号３４６をアサートする。
【００５５】
状態マシン制御器３３０はまた、送信イネーブル信号３３８をアサートし、そしてＴ１とＴ２との間で、電力増幅器が、電力ランプ・アップを実行する。
【００５６】
Ｔ２で、アクティブ位相変調器３５０及び電力増幅器制御ユニット３６０は、送信バースト（ＴＢ）のアクティブ部分の一部である変調されたシンボルを送る。
【００５７】
Ｔ３で、有効データ信号３４２は、送信バースト（ＴＢ）のアクティブ部分が終了したことを指示するためネゲートされる。Ｔ３で、又はＴ３後の近いうちに、（ラインアップ待ち時間に起因して）変調器イネーブル信号３４４が、ネゲートされる。
【００５８】
Ｔ３、又はＴ３後の近いうちに、送信イネーブル信号３３８が、ネゲートされ、そして電力増幅器制御ユニット３６０は、前に与えられた短／通常電力ランプ信号３４８に応答する電力ランプ・ダウンを制御する。電力ランプ・ダウンは、Ｔ４で終了する。
【００５９】
Ｔ５で、変調器アクティブ信号３４６は、ネゲートされる。Ｔ３とＴ５との間の差は、ガード期間に、シャットダウン遅延値３４３により定義されるラインアップ待ち時間を加えた期間に対応する。変調器アクティブ信号３４６がハイ（高）である限り、状態マシン制御器３３０は、変調器イネーブル信号３４４又は送信イネーブル信号３３８をアサートしないであろう。
【００６０】
例えば、バーストが、６０個のシンボルに対してゼロのタイミング前進値を有する正常バーストが続くアクセス・バーストである場合、そのアクセス・バーストと関連した電力ランプ・ダウンは、正常（例えば、約２シンボル）であり、そして（アクセス・バーストを送信するとき）Ｔ２とＴ３との差が、約８８個のシンボルである。シャットダウン遅延（ＳｈｕｔｄｏｗｎＤｅｌａｙ）は、６０のタイミング前進について約８と１／４のシンボル長であり、そして０のタイミング前進について約６８と１／４のシンボル長である。シャットダウン遅延は、連続した正常バーストに関して一定で、約８と１／４のシンボル長であろう。
【００６１】
例えば、バーストが、アクセス・バーストであり、そしてそのバーストに、６３個のシンボルのタイミング前進値を有する正常バーストが続く場合、電力ランプ・ダウンは、速くなる（例えば、約１シンボルの３／４になる）であろう。シャット・ダウン期間は、６と１／４シンボル長であろう。速い電力ランプ・ダウンは、タイミング前進が６１又は６２である場合でさえ適用される。
【００６２】
一般的に、２つの連続したバーストのアクティブ長同士の間の時間差がこれらのバーストと関連したタイミング前進間の時間差より小さいときは常に、ガード期間と、電力ランプ・アップ期間か電力ランプ・ダウン期間のいずれかの期間とが、バーストのオーバラップを防止するため変更されるべきである。
【００６３】
図５は、無線装置において送信バーストのシーケンスを送信する方法４００を示す。
【００６４】
方法４００は、連続した送信バーストと関連したタイミング制約に応答して、送信スケジュールを決定するステップ４１０により開始する。送信バーストと関連したタイミング制約は、送信バーストの長さ及びタイミング前進値に応じることが都合良い。図２に示す例を参照すると、ＢＢＩＣ１１０は、どの送信バーストを送るべきか、及び送信と関連した様々な送信イベントの正確な時間とを決定する。通常、その決定は、基地局によるタイムスロットの割り当て、及び基地局により送られたタイミング前進値に応答する。これらのタイミング前進値は、通常、基地局により周期的に更新される。
【００６５】
ステップ４１０には、シーケンスの少なくとも１つの送信バーストの送信の前に、無線周波数集積回路で、上記少なくとも１つの送信バーストの送信のタイミングを表す情報を受信するステップ４２０が続く。このステップは、この送信バーストが送信される前に、そして或る一定の送信バーストの前にある１又はそれより多い他の送信バーストの送信前にすら、上記の或る一定の送信バーストの送信のタイミングを表す情報を受信することを含む。例えば、送信シーケンスが４つの送信バーストＴＢ１−ＴＢ４を含むと仮定すると、ＴＢ４の送信のタイミングを表す情報は、ＴＢ１−ＴＢ３のうちのいずれかが送信される前に与えられることができる。典型的には、ベースバンド集積回路及び無線周波数集積回路は、情報を単一の送信バースト・ベースで交換するが、しかしこれは、必ずしもそうである必要はない。図２に示す例を参照すると、タイミング情報並びに変調されるべきデータは、ＢＢＩＣ１１０によりＲＦＩＣ２００に送られる。タイミング情報は、後にＲＦＩＣ２００の他の構成要素に与えられるため記憶ユニット２１０に格納されることができる。
【００６６】
ステップ４２０には、ステップ４３０及び４４０が続く。ステップ４３０は、送信スケジュールに従って送信バーストのシーケンスを送信することを含む。ステップ４４０は、無線周波数集積回路により送信スケジュールを実行するようにタイミング信号を発生することを含む。ステップ４４０は、ガード期間にラインアップ待ち時間を加えた期間が前の送信バーストの送信の終わりから経過するまで送信イネーブル信号を遅延させることを含むことが都合良い。送信バーストは、異なる長さのバーストを含むことが都合良い。図２に示される例を参照して、ＲＦＩＣ２００は、送信データを変調し、変調を可能にするタイミング信号を発生し、そして事前定義された電力マスクに適合するように電力増幅器の利得を制御する。
【００６７】
図６は、本発明の一実施形態に従って、無線装置で送信バーストのシーケンスを送信する方法５００を示す。
【００６８】
方法５００は、連続した送信バーストと関連したタイミング制約に応答して送信スケジュールを決定するステップ５１０により開始する。送信バーストと関連したタイミング制約は、送信バーストの長さ及びタイミング前進値に応じることが都合良い。このステップは、電力ランプ期間、特に電力ランプ・ダウン期間を決定することを含むことが都合良い。
【００６９】
ステップ５１０には、無線周波数集積回路でタイミング・スケジュールを表す情報を受信するステップ５２０が続く。
【００７０】
ステップ５２０には、送信スケジュールに従って送信バーストのシーケンスを送信するステップ５３０が続き、そこにおいては、送信することが、無線周波数集積回路により自律的に制御される。ステップ５３０は、ガード期間にラインアップ待ち時間を加えた期間が前の送信バーストの送信の終わりから経過するまで送信イネーブル信号を遅延させることを含むことが都合良い。図２に示される例を参照すると、ひとたびＢＢＩＣがシャットダウン遅延値及び速い／正常電力ランプ値のようなタイミング情報を送ったとすると、ＢＢＩＣは、送信プロセスに介入しない。ＢＢは、送信イベントのタイミングと関連しない様々なタスクを実行することができる。
【００７１】
本明細書で説明されるものの変化、変更及び他の実行が、添付の特許請求の範囲の趣旨及び範囲から逸脱することなしに当業者には行われるであろう。従って、本発明は、前の例示的説明によってではなく、代わりに添付の特許請求の範囲の趣旨及び範囲により定義されるべきである。
【図面の簡単な説明】
【００７２】
【図１】図１は、本発明の一実施形態に従った移動電話器を示す。
【図２】図２は、本発明の一実施形態に従ったＲＦＩＣを示す。
【図３】図３は、本発明の一実施形態に従ったＲＦＩＣの一部分をより詳細に示す。
【図４】図４は、本発明の一実施形態に従った様々な信号のタイミング図である。
【図５】図５は、本発明の一実施形態に従った送信バーストのシーケンスの送信方法のフロー・チャートである。
【図６】図６は、本発明の一実施形態に従った送信バーストのシーケンスの送信方法のフロー・チャートである。
【図１】
2008535334.tif 000003
【図２】
2008535334.tif 000004
【図３】
2008535334.tif 000005
【図４】
2008535334.tif 000006
【図５】
2008535334.tif 000007
【図６】
2008535334.tif 000008
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
無線装置において送信バーストのシーケンスを送信する方法（４００）であって、送信バーストのシーケンスを送信スケジュールに従って送信するステップ（４３０）を備える方法（４００）において、
無線周波数集積回路で、前記シーケンスの少なくとも１つの送信バーストの送信の前に、前記少なくとも１つの送信バーストの送信のタイミングを表す情報を受信するステップ（４２０）と、
前記無線周波数集積回路により、前記送信スケジュールを実行するタイミング信号を発生するステップ（４４０）と
を備えることを特徴とする方法（４００）。
【請求項２】
前記送信バーストが、異なる長さのバーストを備える請求項１記載の方法（４００）。
【請求項３】
送信バーストのシーケンスの送信スケジュールを決定するよう適合されたベースバンド集積回路（１１０）を備える無線装置（１００）であって、
前記シーケンスのうちの少なくとも１つの送信バーストの送信の前に、前記少なくとも１つの送信バーストの送信のタイミングを表す情報を受信し、且つ前記送信スケジュールを実行するタイミング信号を発生するよう適合されている無線周波数集積回路（２００，３００）を備えることを特徴とする無線装置（１００）。
【請求項４】
前記無線装置が更に、連続した送信バーストと関連したタイミング制約に応答して、前記送信スケジュールを決定するよう適合されている請求項３記載の無線装置（１００）。
【請求項５】
送信バーストと関連したタイミング制約が、前記送信バーストの長さ、及びタイミング前進値に応答する請求項４記載の無線装置（１００）。
【請求項６】
前記無線周波数集積回路が、ガード期間にラインアップ待ち時間を加えた期間が前の送信バーストの送信の終わりから経過するまで送信イネーブル信号を遅延させるよう適合されている請求項３から５のいずれか一項に記載の無線装置（１００）。
【請求項７】
電力ランプ・ダウン期間を決定するよう適合されている請求項４記載の無線装置（１００）。
【請求項８】
前記送信バーストが、異なる長さのバーストを備える請求項３から７のいずれか一項に記載の無線装置（１００）。
【請求項９】
送信バーストのシーケンスの送信スケジュールを決定するよう適合されたベースバンド集積回路（１１０）を備える無線装置（１００）であって、
タイミング・スケジュールを表す情報を受信し、且つ前記送信バーストのシーケンスの送信を自律的に制御するよう適合されている無線周波数集積回路（２００，３００）を備えることを特徴とする無線装置（１００）。
【国際調査報告】
2008535334.tif 000009
2008535334.tif 000010
2008535334.tif 000011